(57)【要約】      （修正有）【課題】荷台を有する車両に、簡単な構成で検知精度良く安全確認装置を設けることができる車両構造を提供する。【解決手段】荷台２の周部に複数の荷掛けフック６を有する車両構造１であって、荷掛けフック６に係脱自在に取り付けられる車両の安全確認装置５を備える。荷掛けフック６を利用して、安全確認装置５を荷台付車両に固定できるため、安価で容易に安全確認装置５を荷台付車両に設置することができる。また、荷掛けフック６に係止させた安全確認装置５は荷台付車両から容易に取り外すことができるため、安全確認装置５のメンテナンス性を向上させることができる。【選択図】図２
2019055616.tif 000002
【特許請求の範囲】
【請求項１】
荷台の周部に複数の荷掛けフックを有する車両構造であって、
前記荷掛けフックに係脱自在に取り付けられる車両の安全確認装置を備える車両構造。
【発明の詳細な説明】
【技術分野】
【０００１】
本発明は、荷台を備える車両構造に関する。
【背景技術】
【０００２】
車両後部に荷台を備える荷台付車両としてトラックなどを挙げることができる。例えば、特許文献１には、荷台付車両の車両構造として、荷台の床面を構成する床部と、荷台の側壁を構成する回動ゲート（あおり）を備える車両構造が開示されている。
【０００３】
荷台付車両においても、事故防止の観点から、車両後方の安全を確認する安全確認装置を設けることが望ましい。しかし、荷台付車両には、樹脂製のパーツが少なく、安全確認装置を容易に設けることができない。そこで、特許文献２では、リヤコンビネーションランプの内部にカメラなどの後方確認装置（安全確認装置）を設けることが提案されている。
【先行技術文献】
【特許文献】
【０００４】
【特許文献１】特開２０１４−８３９５８号公報
【特許文献２】特開２００６−２３２２０４号公報
【発明の概要】
【発明が解決しようとする課題】
【０００５】
しかし、リアコンビネーション（ＲＣ）ランプの内部に安全確認装置を一体化すると、ＲＣランプの構成が複雑となり、コストを含めた車両の生産性が低下する。さらに、ＲＣランプに安全確認装置が一体化されているため、ＲＣランプまたは安全確認装置のいずれかが故障した場合でも、ＲＣランプ全体を分解しなければならず、ＲＣランプと安全確認装置のメンテナンス性が共に低下する。
【０００６】
本発明は上記事情に鑑みてなされたものであって、その目的の一つは、荷台を有する車両に、簡単な構成で安全確認装置を設けることができる車両構造を提供することにある。
【課題を解決するための手段】
【０００７】
本発明者らは、荷台を有する車両において、安全確認装置を設置する余地がないかを再検討した。その結果、荷台を有する車両に備わる荷掛けフックに着目した。荷掛けフックは、荷台カバーの留め具や、荷台に荷物を固定するロープを引っ掛ける部材であり、荷台を有する車両の多くに設けられる部材である。
【０００８】
本発明の一形態に係る車両構造は、
荷台の周部に複数の荷掛けフックを有する車両構造であって、
前記荷掛けフックに係脱自在に取り付けられる車両の安全確認装置を備える。
【発明の効果】
【０００９】
上記構成では従来の車両構造にも備わっている荷掛けフックを利用して、安全確認装置を荷台付車両に固定できるため、安価で容易に安全確認装置を荷台付車両に設置することができる。また、上記構成によれば、荷掛けフックに係止させた安全確認装置は荷台付車両から容易に取り外すことができるため、安全確認装置のメンテナンス性を向上させることができる。
【図面の簡単な説明】
【００１０】
【図１】実施形態に係る車両構造を有する車両の後方斜視図である。
【図２】実施形態に係る車両構造の部分拡大図である。
【図３】実施形態に係る車両構造における安全確認装置の配置状態を示す部分拡大図である。
【発明を実施するための形態】
【００１１】
以下、本発明の車両構造１の実施形態を図面に基づいて説明する。なお、本発明は、これらの例示に限定されず、特許請求の範囲によって示され、特許請求の範囲と均等の意味および範囲内でのすべての変更が含まれることが意図される。
【００１２】
＜実施形態１＞
≪全体構成≫
図１に示すトラック（荷台付車両１０）は、その車両後方側に荷台２を有する車両構造１を備える。荷台２は、床部２０と、その床部２０の外周縁部に回動自在に取り付けられ、荷台２の壁部を構成する三枚のあおり２１，２２，２３を備える。車両構造１におけるあおりの数は特に限定されず、例えば、車両後方側のあおり２１のみを備える構成とすることもできる。
【００１３】
あおり２１は、床部２０の車両後方側の外周縁部にヒンジ２４を介して回動自在に取り付けられている。また、あおり２２（２３）は、床部２０の車両左方側（車両右方側）の外周縁部にヒンジ２４を介して回動自在に取り付けられている。
【００１４】
あおり２１とあおり２２とは、図２に示すように留め具２５で固定されている。図示しないが、あおり２１とあおり２３（図１）も、上記留め具２５と同様の留め具で固定されている。留め具２５による固定を解除することで、図１のあおり２１，２２，２３は、ヒンジ２４を中心にして、車両外方側に向って回動する。
【００１５】
上記車両構造１では、床部２０よりも車両下方に位置する車体周部３の外周面に弾性ストッパ４が設けられている。車体周部３は、回動されたあおり２１，２２，２３に対向する部分である。弾性ストッパ４は、あおり２１，２２，２３が回動されたときに、あおり２１，２２，２３に当接し、あおり２１，２２，２３が車体周部３に激突することを抑制する部材である。両者の激突を抑制することで、あおり２１，２２，２３や車体周部３の損傷を抑制できるし、これらの部材よりも強度が低い部材、例えば車両後方側の車体周部３に設けられるリヤコンビネーションランプ８の損傷も効果的に抑制できる。この弾性ストッパ４の機能に鑑み、弾性ストッパ４は弾性体、代表的にはゴムで構成される。弾性ストッパ４があることで、あおり２１，２２，２３が損傷したり、車体周部３が損傷したりすることを抑制できる。ここで、本例とは異なり、弾性ストッパ４は、あおり２１，２２，２３側に設けられていても構わない。
【００１６】
また、荷台２を有する車両構造１では、あおり２１，２２，２３の外面に複数の荷掛けフック６が設けられている。この荷掛けフック６は、荷台２に載せた荷物を覆う荷台カバーの留め具を係止させたり、荷台２に載せた荷物を縛るロープを引掛けたりすることに用いられる。本例の荷掛けフック６は概略Ｌ字型に形成されており、その先端が車両下方に向いている。あおり２１，２２，２３を展開すると、荷掛けフック６の先端は車両上方に向く（図３の二点鎖線参照）。
【００１７】
本例では、図１に示すように、車両左方のあおり２２の外周面に四つの荷掛けフック６が設けられている。図１で見えない位置にある車両右方のあおり２３の外周面においても同様に、四つの荷掛けフックが設けられている。また、車両後方側のあおり２１の外周面には三つの荷掛けフック６が設けられている。なお、荷掛けフック６の数や位置は、本例の例示に限定されるわけではない。例えば、車体周部３の位置や、運転席の後部ウィンドウを囲う格子状フレームに荷掛けフック６が設けられていても良い。
【００１８】
≪安全確認装置≫
本例の車両構造１はさらに、荷掛けフック６に係脱自在に設けられる安全確認装置５を備える。安全確認装置５としては、例えばカメラや、ソナー、レーザーレーダー、ミリ波レーダーなどを挙げることができる。これらは、運転者の死角となる位置や見え難い位置に存在する物・人を検知する装置である。その検知情報は、ディスプレイやランプ、ブザーなどで運転者に提示することができる。例えば、カメラであれば、物・人の映像を運転者に提示できる。また、ソナーやレーザーレーダーであれば、物・人の存在を警報として運転者に提示できる。
【００１９】
安全確認装置５からの情報は、ワイヤーハーネスなどの有線伝送装置や、ブルートゥース（登録商標）などの無線伝送装置などでＥＣＵ（ｅｌｅｃｔｒｉｃ  ｃｏｎｔｒｏｌ  ｕｎｉｔ）に入力される。入力された情報は、ＥＣＵで処理され、運転者に提示される。
【００２０】
次に、荷掛けフック６における安全確認装置５の配置状態を図３に基づいて説明する。図３では、紙面右側が荷台付車両１０（図１）の内方側、紙面左側が荷台付車両１０の外方側である。図３の安全確認装置５はカメラである。
【００２１】
図２に示すように、カメラ５は、レンズ部５０と本体部５１とブラケット５２とを備える。本体部５１は、レンズ部５０を介して車両の周囲を撮影する撮像素子や画像プロセッサが内蔵される部分であり、本例では円筒形となっている。もちろん、本体部５１の形状は特に限定されるわけではなく、コンパクトカメラのように略直方体形状でもかまわない。その場合、直方体状の本体部５１の一面にレンズ部５０が設けられる。
【００２２】
ブラケット５２は、本体部５１の外周を締め付ける本体側環状部と、荷掛けフック６の外周を締め付けるフック側環状部とで構成され、荷掛けフック６にカメラ５を固定するための部材である。本体側環状部の軸線とフック側環状部の軸線とはねじれの関係にあり、そのため、車両下方に延びる荷掛けフック６にカメラ５を取り付けると、カメラ５の光軸は車両後方を向く。つまり本例のカメラ５によれば車両後方を撮影できる。もちろん、この構成で車両左方を撮影しても構わない。このブラケット５２は、ゴムなどの弾性体で構成されることが好ましい。荷掛けフック６にカメラ５を取り付ける際、ブラケット５２を弾性変形させて、荷掛けフック６にブラケット５２を係合させられるからである。
【００２３】
荷掛けフック６におけるカメラ５の取付け位置は特に限定されない。例えば、図３に示すように、Ｌ字の先端側に設けても良いし、Ｌ字の屈曲部近傍に設けても良い。荷掛けフック６の先端にはロープなどの抜け止めとなるフランジ部が設けられているため、先端近傍にブラケット５２でカメラ５を取り付けても、カメラ５が脱落することはない。ここで、図３の仮想線（二点鎖線）で示すように、あおり２２は、車両外方に展開されたときに弾性ストッパ４で当て止めされ、車体周部３に直接接触しないようになっている。あおり２２に設けられる荷掛けフック６も同様で、あおり２２の展開時に車体周部３に激突することはなく、荷掛けフック６に設けられるカメラ５も車体周部３に激突することはない。
【００２４】
荷台付車両１０におけるカメラ５の設置台数は特に限定されない。例えば、図２，３に示すように、車両左後側で荷台付車両１０の後方側を監視するカメラ５を一台だけ備える構成とすることが挙げられる。車両左後方は、運転席から最も遠く最も視認性の良くない位置であるため、この位置をカメラ５で監視することは安全性を確認する上で極めて有効である。より一層の安全性の向上を目的とするなら、車両左方、車両右方、および車両後方をそれぞれ確認するカメラ５を少なくとも一台ずつ設けることが好ましい。
【００２５】
≪効果≫
上記構成では従来の車両構造にも備わっている荷掛けフック６を利用して、安全確認装置５を荷台付車両１０に固定できるため、安価で容易に安全確認装置５を荷台付車両１０に設置することができる。また、安全確認装置５は荷台付車両１０から容易に取り外すことができるため、安全確認装置５のメンテナンスを容易に行うことができる。本例では、図３のブラケット５２を荷掛けフック６から外すだけで、安全確認装置５を取り外すことができる。
【００２６】
また、荷掛けフック６は荷台２の比較的高い位置にあるため、リヤコンビネーションランプ８に安全確認装置５を設けるよりも、荷掛けフック６に安全確認装置５を設ける方が、飛び石などが安全確認装置５に当たったり、泥などが安全確認装置５に付着したりするといった問題が生じ難い。
【００２７】
本例の構成によれば、既存の荷台付車両１０に後付けで安全確認装置５を設置することができる。特に、無線で安全確認装置５の検知情報を送信する構成であれば、荷台付車両１０に機械的な改造を施すことなく、安全確認装置５を設置することができる。
【００２８】
≪その他≫
本例の車両構造１を適用する車両は、荷台を有する車両であれば良く、トラックに限定されない。例えば、フロントシートとリアシートを備える車室の後方に荷台を備えるデッキバンなどに本例の車両構造１を適用することもできる。
【符号の説明】
【００２９】
１０  荷台付車両
１  車両構造
２  荷台
２０  床部
２１，２２，２３  あおり  ２４  ヒンジ  ２５  留め具
３  車体周部
４  弾性ストッパ
５  カメラ（安全確認装置）
５０  レンズ部  ５１  本体部  ５２  ブラケット
６  荷掛けフック
８  リヤコンビネーションランプ
【図１】
2019055616.tif 000003
【図２】
2019055616.tif 000004
【図３】
2019055616.tif 000005